(57)【要約】【課題】表示面に表示される情報の視認性を改善すること。【解決手段】１つの態様に係る電子機器は、明るさを変更可能な表示部と、水を検知する水検知部と、第２の電子機器と通信可能な通信部と、前記水検知部により少なくとも一部が水中にあることを検知し且つ前記通信部により第２の電子機器が水中にないことを検知したとき、前記水検知部により少なくとも一部が水中にあることを検知し且つ前記第２の電子機器の少なくとも一部が水中にあるときより前記表示部を明るくする制御部と、を有し、高い視認性が得られる。【選択図】図７
2017135510.tif 000002
【特許請求の範囲】
【請求項１】
明るさを変更可能な表示部と、
水を検知する水検知部と、
第２の電子機器と通信可能な通信部と、
前記水検知部により少なくとも一部が水中にあることを検知し且つ前記通信部により第２の電子機器が水中にないことを検知したとき、前記水検知部により少なくとも一部が水中にあることを検知し且つ前記第２の電子機器の少なくとも一部が水中にあるときより前記表示部を明るくする制御部と、
を有する電子機器。
【請求項２】
前記通信部は、ユーザの頭部近傍に装着した第２の電子機器からの信号を受信する請求項１に記載の電子機器。
【請求項３】
周囲の明るさを検出する照度検出部を更に有し、
前記制御部は、前記表示部の明るさを前記周囲の明るさに基づいて変化させる請求項１または２に記載の電子機器。
【請求項４】
水深を取得する水深取得部を更に有し、
前記制御部は、前記画面の明るさを前記水深に応じて変化させる請求項１乃至３のいずれかに記載の電子機器。
【請求項５】
天気に関する情報を記憶する記憶部と、
位置情報を取得する位置情報取得部と、を更に有し、
前記制御部は、前記表示部の明るさを前記天気に関する情報と前記位置情報に基づいて変化させる請求項１乃至４のいずれかに記載の電子機器。
【請求項６】
前記天気に関する情報は、前記位置情報が示す地域における風速の履歴を含む請求項５に記載の電子機器。
【請求項７】
更に現在の日時を取得する日時取得部と、
位置情報を取得する位置情報取得部と、を更に有し、
前記制御部は前記表示部の明るさを前記日時と前記位置情報に基づいて変化させる請求項１乃至４のいずれかに記載の電子機器。
【請求項８】
前記制御部は、
前記水検知部が水を検出していない第１の条件と、
前記通信部により前記第２の電子機器が水中にあることを検知する第２の条件と、
前記通信部により前記第２の電子機器により、ユーザが所定の状態にあることを検知する第３の条件と、
を満たしたとき、所定の処理を実行する請求項１乃至７のいずれかに記載の電子機器。
【請求項９】
前記所定の状態は、前記第２の電子機器が検出するユーザの生体情報を示す数値のうち、少なくとも１つが、所定の範囲ではないことを検知した状態である請求項８に記載の電子機器。
【請求項１０】
前記所定の処理は、ユーザが危険な状態であることを外部に通知する処理である請求項８または９に記載の電子機器。
【請求項１１】
ユーザの頭部近傍に装着する、他の電子機器と通信可能な電子機器であって、
水を検知する水検知部を有し、
前記電子機器に対し、前記水検知部から得た情報を送信する電子機器。
【請求項１２】
明るさを変更可能な表示部と、
水を検知する水検知部と、
第２の電子機器と通信可能な通信部と、を有する電子機器により実行される制御方法であって、
前記水検知部により少なくとも一部が水中にあることを検知し且つ前記通信部により第２の電子機器が水中にないことを検知する第１のステップと、
前記第１のステップの後に、前記水検知部により少なくとも一部が水中にあることを検知し且つ前記第２の電子機器の少なくとも一部が水中にあるときより前記表示部を明るくする第２のステップと、
を有する制御方法。
【請求項１３】
明るさを変更可能な表示部と、
水を検知する水検知部と、
第２の電子機器と通信可能な通信部と、を有する電子機器に、
前記水検知部により少なくとも一部が水中にあることを検知し且つ前記通信部により第２の電子機器が水中にないことを検知する第１のステップと、前記第１のステップの後に前記第１のステップの後に、前記水検知部により少なくとも一部が水中にあることを検知し且つ前記第２の電子機器の少なくとも一部が水中にあるときより前記表示部を明るくする第２のステップと、を実行させる制御プログラム。
【発明の詳細な説明】
【技術分野】
【０００１】
本出願は、電子機器、制御方法及び制御プログラムに関する。
【背景技術】
【０００２】
従来、表示面に付着する水が検出された場合、表示面に表示される情報の表示態様を変更する電子機器があった（例えば、特許文献１参照）。
【先行技術文献】
【特許文献】
【０００３】
【特許文献１】特開２０１３−１２１００７号公報
【発明の概要】
【発明が解決しようとする課題】
【０００４】
電子機器を水中で使用するとき、画面の表示方法に改良の余地がある。
【課題を解決するための手段】
【０００５】
１つの態様に係る電子機器は、明るさを変更可能な表示部と、水を検知する水検知部と、第２の電子機器と通信可能な通信部と、前記水検知部により少なくとも一部が水中にあることを検知し且つ前記通信部により第２の電子機器が水中にないことを検知したとき、前記水検知部により少なくとも一部が水中にあることを検知し且つ前記第２の電子機器の少なくとも一部が水中にあるときより前記表示部を明るくする制御部と、を有する。
【０００６】
前記電子機器の前記通信部は、ユーザの頭部近傍に装着した第２の電子機器からの信号を受信するよう構成されてもよい。
【０００７】
前記電子機器は、周囲の明るさを検出する照度検出部を更に有し、前記制御部は、前記表示部の明るさを前記周囲の明るさに基づいて変化させてもよい。
【０００８】
水深を取得する水深取得部を更に有し、前記制御部は、前記画面の明るさを前記水深に応じて変化させてもよい。
【０００９】
前記電子機器は、天気に関する情報を記憶する記憶部と、位置情報を取得する位置情報取得部と、を更に有し、前記制御部は、前記表示部の明るさを前記天気に関する情報と前記位置情報に基づいて変化させてもよい。
【００１０】
前記天気に関する情報は、前記位置情報が示す地域における風速の履歴を含んでもよい。
【００１１】
更に現在の日時を取得する日時取得部と、位置情報を取得する位置情報取得部と、を更に有し、前記制御部は前記表示部の明るさを前記日時と前記位置情報に基づいて変化してもよい。
【００１２】
前記制御部は、前記水検知部が水を検出していない第１の条件と、前記通信部により前記第２の電子機器が水中にあることを検知する第２の条件と、前記通信部により前記第２の電子機器により、ユーザが所定の状態にあることを検知する第３の条件と、を満たしたとき、所定の処理を実行してもよい。
【００１３】
前記所定の状態は、前記第２の電子機器が検出するユーザの生体情報を示す数値のうち、少なくとも１つが、所定の範囲ではないことを検知した状態であってもよい。
【００１４】
前記所定の処理は、ユーザが危険な状態であることを外部に通知する処理であってもよい。
【００１５】
１つの態様に係る制御方法は、ユーザの頭部近傍に装着する、他の電子機器と通信可能な電子機器であって、水を検知する水検知部を有し、前記電子機器に対し、前記水検知部から得た情報を送信する。
【００１６】
１つの態様に係る制御方法は、明るさを変更可能な表示部と、
水を検知する水検知部と、第２の電子機器と通信可能な通信部と、を有する電子機器により実行される制御方法であって、前記水検知部により少なくとも一部が水中にあることを検知し且つ前記通信部により第２の電子機器が水中にないことを検知する第１のステップと、前記第１のステップの後に、前記水検知部により少なくとも一部が水中にあることを検知し且つ前記第２の電子機器の少なくとも一部が水中にあるときより前記表示部を明るくする第２のステップと、を有する。
【００１７】
１つの態様に係る制御プログラムは、明るさを変更可能な表示部と、水を検知する水検知部と、第２の電子機器と通信可能な通信部と、を有する電子機器により実行される制御方法であって、前記水検知部により少なくとも一部が水中にあることを検知し且つ前記通信部により第２の電子機器が水中にないことを検知する第１のステップと、前記第１のステップの後に前記水検知部により少なくとも一部が水中にあることを検知し且つ前記第２の電子機器の少なくとも一部が水中にあるときより前記表示部を明るくするステップとを実行させる制御プログラムである。
【発明の効果】
【００１８】
本出願によれば、水中での使用時におけるスマートフォンの画面の視認性を向上させることができる。
【図面の簡単な説明】
【００１９】
【図１】図１は、実施形態に係るスマートフォンの機能構成を示すブロック図である。
【図２】図２は、実施形態に係るスマートフォンの正面外観図である。
【図３】図３は、実施形態に係るスマートフォンの背面外観図である。
【図４】図４は、実施形態に係るヘッドセットの機能構成を示すブロック図である。
【図５】図５は、実施形態に係るヘッドセットのある一方向からの外観図である。
【図６】図６は、実施形態に係るヘッドセットの図４とは異なる一方向からの外観図である。
【図７】図７は、実施形態に係る処理の流れを示すフロー図である。
【図８】図８は、実施形態に係る処理の流れを示すフロー図である。
【図９】図９は、実施形態に係る太陽光の入射方向とスマートフォンの位置の関係を表す図である。
【図１０】図１０は、実施形態に係る画面の表示を表す図である。
【図１１】図１１は、実施形態に係るウェアラブルデバイスの一例である。
【図１２】図１２は、実施形態に係るウェアラブルデバイスの一例である。
【図１３】図１３は、実施形態に係るウェアラブルデバイスの一例である。
【図１４】図１４は、実施形態に係るウェアラブルデバイスの一例である。
【発明を実施するための形態】
【００２０】
本出願に係る電子機器、制御方法及び制御プログラムを実施するための複数の実施形態を、図面を参照しつつ詳細に説明する。以下では、本出願に係る電子機器の一例として、スマートフォン１およびヘッドセット２０を取り上げて説明する。
【００２１】
図１、図２、図３を参照しつつ、実施形態に係るスマートフォン１の構成の一例を説明する。図１は、実施形態に係るスマートフォン１の構成を示すブロック図である。図２および図３はスマートフォン１の外観図である。スマートフォン１は、タッチパネル２Ａと、ディスプレイ２Ｂと、ボタン３と、電源４と、照度センサ５Ａと、近接センサ５Ｂと、加速度センサ５Ｃと、ジャイロセンサ５Ｄ、方位センサ５Ｅと、気圧センサ５Ｆと、通信ユニット６と、レシーバ７Ａと、マイク７Ｂと、スピーカ７Ｃと、インカメラ８Ａと、アウトカメラ８Ｂと、ストレージ９と、プロセッサ１０と、コネクタ１１と、イヤホンジャック１２と、を備える。
【００２２】
タッチパネル２Ａとディスプレイ２Ｂは重ねて配置されてもよいし、別の場所に設けられてもよい。またタッチパネル２Ａとディスプレイ２Ｂのそれぞれが別の面に設けられても良いし、それぞれが複数設けられてもよい。また入力機能と表示機能とを併せ持ったインセル型ディスプレイであってもよい。
【００２３】
タッチパネル２Ａは、静電容量方式、電磁誘導方式、表面弾性波方式、感圧方式、液抵抗膜方式、赤外線方式などの方式が任意で用いられ、指またはスタイラスペンなどの接触および近接を検知する。これによりスマートフォン１に対するユーザの操作を識別し、プロセッサ１０に送る。静電容量方式のタッチパネルを採用する場合は静電容量の変化を測定することで水中であることを検知できる。具体的にいうと、静電容量がある一定の値の近傍でタッチパネル２Ａの全面にわたって均一となったとき、水没したと判定できる。またタッチパネルが検出する領域のうち、一部の領域において、静電容量が均一となった場合もその領域が水に覆われていることがわかる。表面弾性波方式を採用した場合はタッチパネルが検出する表面弾性波の減衰の測定により水に接触していることを検出できる。感圧方式を採用した場合は水圧の検出によって、赤外線方式を採用した場合は赤外線の減衰を利用することで水に接触していることを検出できる。以上のことから、タッチパネル２Ａは水検知部として利用できる。
【００２４】
ディスプレイ２Ｂは、画像を表示できる。ユーザはディスプレイ２Ｂの表示に基づいて端末の状態を確認することができる。ディスプレイ２Ｂは、例えば液晶ディスプレイ、有機ＥＬディスプレイ、無機ＥＬディスプレイ、電子ペーパー等の表示デバイスが用いられる。ディスプレイ２Ｂはスマートフォン１における表示部として機能する。
【００２５】
ボタン３は押下されることでスマートフォン１に対する電源のｏｎまたはｏｆｆ、スリープモードへの切り替えまたはスリープモードの解除、音量調整などを含むユーザからの種々の入力を受け付ける。ボタン３の数は単数でも複数でもよいし、タスクスイッチやメンブレンスイッチを使った物理キーであっても、タッチパネル２Ａの一部を使い設けられたソフトキーであってもよい。また静電容量方式や感圧方式等により入力を検出する構造でもよい。物理キーである場合には、水中での使用時にも入力が可能であり、更に静電容量方式や感圧方式のセンサを有していれば、水を検知することも可能である。つまりそれらのセンサを搭載した物理キーも水検知部としての機能を有しうる。
【００２６】
電源４は、スマートフォン１の各部に電力を供給する。電源４には例えばバッテリが用いられる。
【００２７】
照度センサ５Ａは周囲の照度を検出し、ディスプレイ２Ｂの明るさを制御するために用いられる。照度センサ５Ａが検出する照度が高くなるほど、ディスプレイ２Ｂの視認性向
上のため、プロセッサ１０は、ディスプレイ２Ｂを明るく設定する。照度センサは照度検出部として利用できる。
【００２８】
近接センサ５Ｂは静電容量方式、超音波方式、光電方式、磁気方式、誘導方式などの方式が任意で用いられ、近接センサ５Ｂに対する物体の近接を検出する。静電容量方式の場合は静電容量の変化を利用して、超音波方式や光電方式などでは水中での減衰を利用して、水の検出が可能である。つまり近接センサも水検知部としての機能を有しうる。
【００２９】
なお照度センサ５Ａと近接センサ５Ｂは別個に備えるのではなく、近接センサ５Ｂは照度センサ５Ａの機能を兼ねていてもよいし、照度センサ５Ａを近接センサ５Ｂの代替として用いてもよい。つまり、近接センサが照度検出部として用いられても良い。
【００３０】
加速度センサ５Ｃは、スマートフォン１に作用する加速度の方向や大きさを検出する。
【００３１】
ジャイロセンサ５Ｄは、スマートフォン１の角速度を検出する。
【００３２】
方位センサ５Ｅは、地磁気の向きを検出し、スマートフォン１の向く方位を検出する。
【００３３】
気圧センサ５Ｆは、スマートフォン１に作用する気圧を検出する。気圧センサは、気圧の変化によってスマートフォン１が水中にあるかを判定する水検知部としても利用できる。また、検出する圧力の変化から水圧を検出し、水深を推定する水深取得部としても利用できる。
【００３４】
通信ユニット６は、通信のための信号を変換する回路や送受信するためのアンテナを備える。通信ユニット６が使用する通信規格は無線通信であり、例えば２Ｇ、３Ｇ、ＬＴＥ（Ｌｏｎｇ  Ｔｅｒｍ  Ｅｖｏｌｕｔｉｏｎ）、４Ｇ、ＷｉＭＡＸ（登録商標）（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、Ｂｌｕｅｔｏｏｔｈ（登録商標）、ＩＥＥＥ８０２．１１、ＮＦＣ（Ｎｅａｒ  Ｆｉｅｌｄ  Ｃｏｍｍｕｎｉｃａｔｉｏｎ）、ＩｒＤＡ（Ｉｎｆｒａｒｅｄ  Ｄａｔａ  Ａｓｓｏｃｉａｔｉｏｎ）、Ｚｉｇｂｅｅ（登録商標）等であり、またこれに限られず種々の無線通信方式を含む。これはスマートフォン１における通信部として機能する。通信ユニット６はインターネット通信を利用することで天気情報や日時情報を含む種々の情報の取得ができる。また３ＧやＬＴＥでの通信機能を有する場合、接続している基地局を元に位置情報を推測できる。これを利用することで通信ユニット６は位置情報取得部としての機能も有する。
【００３５】
レシーバ７Ａは音を出力する。レシーバ７Ａは主に通話の音声の出力に用いられるが、音楽、アラーム等も出力することができる。レシーバ７Ａが設けられる場所は、ディスプレイ２Ｂを備える面に開設された開口部の内側である。
【００３６】
スピーカ７Ｃも音を出力する。スピーカ７Ｃは主に動画の音声、音楽、アラーム等の出力に用いられ、ハンズフリー通話時の通話音声の出力にも用いられる。
なおレシーバ７Ａとスピーカ７Ｃは、どちらか一方のみが設けられ、他方の機能を兼ねてもよい。
【００３７】
マイク７Ｂは音の入力を受け付ける。ユーザの声や周囲の環境音等はマイク７Ｂによって音信号へ変換される。マイク７Ｂは一つとは限らず複数設けられても良い。
【００３８】
インカメラ８Ａおよびアウトカメラ８Ｂは、撮影した画像を電気信号に変換する。インカメラ８Ａはスマートフォン１のディスプレイ２Ｂを備える面に設けられ、アウトカメラ
８Ｂはインカメラ８Ａとは反対側の面に設けられる。
【００３９】
ストレージ９は、例えばフラッシュメモリ、ＨＤＤ、ＳＳＤ、メモリカード、光ディスク、光磁気ディスク、ＲＡＭ等の記憶媒体によって構成され、プログラムやデータを記憶する。ストレージ９は複数の種類の記憶媒体の組み合わせであってもよいし、記憶媒体に加えてそれら記憶媒体から情報を読み取る読み取り装置まで含めたものであってもよい。
【００４０】
ストレージ９に記憶されるプログラムは、スマートフォンの動作を制御する制御プログラム９Ａと、アプリケーション９Ｂと、とを含む。制御プログラム９Ａには、例えばＯＳが含まれる。アプリケーション９Ｂとは、対応するアイコンに入力を受け付けたとき、フォアグラウンドで実行され、当該アプリケーションへの操作が可能な画面がディスプレイ２Ｂに表示されるものである。またはバックグラウンドで実行されるものであってもよい。アプリケーション９Ｂはユーザがインストールするものも含む。またストレージ９に記憶されるデータには、種々の設定情報９Ｃ、種々のセンサからの信号の履歴情報等を含むセンサ情報９Ｄ、センサ情報９Ｄから判定された結果やインターネット通信等により入手する環境情報９Ｅ等が保存される。
【００４１】
プロセッサ１０は、制御部の一例である。スマートフォン１は少なくとも一つのプロセッサを含み、以下で述べる各種の機能を実現するための制御と処理能力を提供する。種々の実施例によると、プロセッサ１０はＩＣ（ｉｎｔｅｇｒａｔｅｄ  Ｃｉｒｃｕｉｔ）または複数の通信可能に接続されたＩＣおよび／またはディスクリート回路を実装していてもよい。プロセッサ１０は様々な既知の技術によって実現されてもよい。一つの実施例では、プロセッサ１０は１以上のデータ計算手段またはデータ計算処理を可能とする１以上の回路またはユニットを有する。例えばプロセッサ１０は、１以上のプロセッサ、コントローラ、マイクロプロセッサ、マイクロコントローラ、ＡＳＩＣ（Ａｐｐｌｉｃａｔｉｏｎ  ｓｐｅｃｉｆｉｃ  ｉｎｔｅｇｒａｔｅｄ  ｃｉｒｃｕｉｔ）、デジタル信号プロセッサ、プログラマブルロジックデバイス、ＦＰＧＡ（Ｆｉｅｌｄ  ｐｒｏｇｒａｍｍａｂｌｅ  ｇａｔｅ  ａｒｒａｙ）か、またはこれらのデバイス、構造、その他のデバイスや構造の組み合わせによって構成され、本明細書で示す機能を果たす。
【００４２】
プロセッサ１０は判定ユニットとハンドオフユニットを含む。いくつかの実施例では、判定ユニットとハンドオフユニットは、プロセッサ１０に含まれる処理回路によって実行されるときに、メモリに保存された実行可能な命令として実現され、本明細書で説明するそれぞれのプロセスを実行する。もう一つの実施例では、本明細書で示すそれぞれの機能を果たすために、判定ユニットおよび／またはハンドオフユニットはプロセッサと通信可能に接続されたセパレートＩＣまたはディスクリート回路によって実現されてもよい。
【００４３】
アプリケーション９Ｂや制御プログラム９Ａはプロセッサ１０によって実行され、スマートフォン１の動作はプロセッサ１０によって統括的に制御され、各種の機能が実現される。
【００４４】
スマートフォン１は上記の各機能部の他、ＧＰＳ（Ｇｌｏｂａｌ  Ｐｏｓｉｔｉｏｎｉｎｇ  Ｓｙｓｔｅｍ）受信機やバイブレータを設けていてもよい。ＧＰＳ受信機により受信したＧＰＳ衛星からの信号を用いて、プロセッサ１０は現在位置を検出できる。これにより、通信ユニットだけでなく、プロセッサもまた位置情報取得部としての機能を有する。
【００４５】
バイブレータは偏心モータや圧電素子等を有し、スマートフォン１全体を振動させることでユーザに対する報知等に用いられる。
【００４６】
次に図４、図５、図６を参照しつつ、実施形態にかかるウェアラブルデバイスの構成の一例を説明する。ここではヘッドセット型を例として説明する。
【００４７】
ヘッドセット２０は、通信ユニット２１と、レシーバ２２Ａと、マイク２２Ｂと、ボタン２３Ａと、音量調整ボタン２３Ｂと、電源２４と、気圧センサ２５Ａと、照度センサ２５Ｂと、心拍数センサ２５Ｃと、ストレージ２６と、プロセッサ２７と、コネクタ２８と、によって構成される。
【００４８】
通信ユニット２１は、スマートフォン１との間で通信を行う。利用する通信規格はＢｌｕｅｔｏｏｔｈ（登録商標）、ＩＥＥＥ８０２．１１、ＮＦＣ、ＩｒＤＡ、Ｚｉｇｂｅｅ（登録商標）等であり、これにより通信ユニット２１との通信を行う。またこれに限られず種々の無線通信方式によって通信を行っても良い。また通信の方法は、スマートフォン１のコネクタ１１へ接続したケーブルやイヤホンジャック１２に接続したケーブルを用いた有線通信をしても構わないし、別の通信端末を中継した通信であってもよい。このようにコネクタ１１やイヤホンジャック１２もまた、スマートフォン１における通信部として用いられてもよい。
【００４９】
レシーバ２２Ａは、レシーバ７Ａと同様の機能を有する。
【００５０】
マイク２２Ｂは、マイク７Ｂと同様の機能を有する。
【００５１】
ボタン２３Ａは、ユーザからの操作を受け付ける。受け付ける操作は、例えば電源ｏｎ操作、電源ｏｆｆ操作、例えば受話操作、発呼操作、レシーバ２２Ａまたはマイク２２Ｂのミュート操作、Ｂｌｕｅｔｏｏｔｈ（登録商標）のペアリングモードへの変更などである。ボタン２３Ａが押下を受け付けたとき、いずれの操作として受け付けるかは、ヘッドセット２０が実行中の動作やスマートフォン１が実行中の動作、長押しの時間等によって変化する。またこれらの操作は、全ての効果を一つのボタン２３Ａによって実現するのではなく、複数に分けてそれぞれのボタンで入力を受け付けても構わないし、マイク２２Ｂからの音声入力によって幾つかの効果を実現しても構わない。ヘッドセット２０のボタン２３Ａがタッチパネルの機能も備えるのであれば、ユーザによるジェスチャ操作を受け付けてもよい。またそのタッチパネルが静電容量方式や感圧方式などの場合はスマートフォン１のタッチパネル２Ａと同様に水を検出できる。よってボタン２３Ａもまた、水検知部としての機能を有しうる。
【００５２】
音量調整ボタン２３Ｂは音量設定の変更のための入力を受け付ける。変更する音量は、ヘッドセット２０側の音量設定であってもよいし、接続しているスマートフォン１の音量設定であってもよい。またマイク２２Ｂの音量を変化してもよい。また音量調整ボタン２３Ｂは、物理ボタンにより構成されてもよいし、タッチパネルが用いられてもよい。タッチパネルが静電容量方式や感圧方式等の場合には水検知部としても機能する。
【００５３】
電源２４は、電源４と同様の機能を有し、ヘッドセット２０の各部に電力を供給する。
【００５４】
気圧センサ２５Ａは、気圧センサ５Ｆと同様の機能を有する。
【００５５】
ストレージ２６は、ストレージ９と同様の機能を有する。保存するデータは、例えば制御プログラム２６Ａ、スマートフォン１との接続に関わる情報や音量設定等の設定情報２６Ｂ、種々のセンサが受ける情報の履歴等を記録したセンサ情報２６Ｃ、天候やセンサ情報２６Ｃに基づく判定結果を記録した環境情報２６Ｄなどである。
【００５６】
プロセッサ２７は、プロセッサ１０と同様の機能を有し、ヘッドセット２０の各部の制
御を行う。
【００５７】
コネクタ２８は、電源２４への充電やデータ通信に使用される。またコネクタ２８に対応するケーブルを接続すると有線通信が行える。
【００５８】
またヘッドセット２０は、上記以外の種々のセンサを備えていてもよい。例えばヘッドセット２０が温度センサを備えているとき、体温や気温、水温の情報を得ることができる。動作状況等を示すＬＥＤ等を複数個搭載するときには、ユーザは電源２４の残量や、動作状況を知ることができる。
【００５９】
図７を用いて、第１の実施形態に係るスマートフォン１およびヘッドセット２０により実行される処理の流れを説明する。なお、これ以降の「自機」という表記はスマートフォン１を指す。
【００６０】
ステップＳ７０１において、スマートフォン１は自機が水中にあるかを判定する。判定は、静電容量方式のタッチパネル２Ａによって行うか、または気圧センサ５Ｆの信号を調べる等、水を検知する別の手段を用いてもよい。静電容量方式のタッチパネル２Ａにより水中であることを検出する場合、タッチパネル２Ａのどこまでが水に浸かっているかがわかる。水中であるかどうかの判定は、タッチパネル２Ａの全面が水に覆われたときに行っても、タッチパネル２Ａの全面積のうち、閾値以上の面積が水に覆われたときでもよいし、特定の場所が水を検出したときでもよい。
【００６１】
そのほかの判定方法としては、気圧センサ５Ｆを用いる場合、圧力の増加を検出したとき、水中と判定してもよいし、また水上では気圧センサ５Ｆの数値の変化が大きくなるため、時間あたりの気圧センサ５Ｆの信号の変化が小さくなったとき、水中であると判定してもよい。
【００６２】
ステップＳ７０１で水を検知すると、ステップＳ７０２に移行する。
【００６３】
ステップＳ７０２では、スマートフォン１は画面を明るくする処理を実行する。この処理はスマートフォン１内で設定されている画面輝度を設定する数値を上げてもよいし、その数値によらず、液晶ディスプレイであるならバックライトの強度を、有機ＥＬディスプレイ等の自発光型ディスプレイであるならその発光強度を、一律に水上での使用時に比べ、高めてもよい。
【００６４】
またステップＳ７０１での水の検出にあたって、静電容量方式のタッチパネル２Ａを使用するときには、静電容量が均一となっている領域から、画面のどこまでが水に浸かっているかがわかる。これを利用し、水に浸かっている部分のみを明るくしてもよいし、画面の全面を明るくしてもよい。
【００６５】
ステップＳ７０２の完了後、ステップＳ７０３に移る。ステップＳ７０３では、ヘッドセット２０が水中にあるかを判定する。判定の結果、ヘッドセット２０が水中にないと判定されれば、ステップＳ７０４に移り、ステップＳ７０２の処理により画面を明るくした後の状態から画面をさらに明るくする。
【００６６】
ステップＳ７０１とステップＳ７０３は、ともにそれぞれの機器が水中にあるかを検出する手段だが、検出の方法は複数あり、どれを使ってもよいし、複数の方法を合わせて用いて検出の正確さを上げてもよい。
【００６７】
例えば静電容量方式のタッチパネルを用いた方法であってもよいし、ヘッドセット２０
の気圧センサ２５Ａによって行ってもよいし、照度センサや温度センサ等を用いた手段でもよい。
【００６８】
気圧センサを用いる場合について述べる。水中では圧力が大きいことを利用し、気圧センサ２５Ａが検出する圧力が急激に大きくなったとき、水中にあると判定できる。また水上にあるとき、気圧センサ２５Ａが検出する圧力の変化が大きくなるため、時間あたりの気圧センサ２５Ａの信号の変化が小さくなったとき、水中であると判定してもよい。
【００６９】
次に照度センサ２５Ｂや太陽光発電パネル等の光を検出できる機器を備える場合について述べる。水中では光が減衰するため、照度センサ２５Ｂの信号や太陽光発電パネルの発電量の変化から光の減少を調べることで、水中に入ったと判定できる。
【００７０】
また温度センサによって検出する温度の変化によって水中に入ったと判定してもよい。海水浴等が行われるのは一般的に夏季であるため、海水温は気温より低いことが予想される。よってスマートフォンないしヘッドセットが備える温度センサが検出する温度が低下したとき、水中に入ったと判定できる。また端末が記憶している日付から季節を判定し、冬季であれば温度があがったとき水中に入ったと判定してもよい。水温の変化は気温の変化よりゆるやかであるため、時間あたりの温度変化の履歴から判断してもよい。
【００７１】
また電波の受信強度によっても水中であるかの判定は可能である。水中では電波の受信感度が低下するため、スマートフォン１の受信する電波の強度よりヘッドセット２０の受信強度のほうが大きい場合、スマートフォン１は水中にあり、ヘッドセット２０は水上にあると判定してもよい。
【００７２】
これらの判定は、接続しているスマートフォン１から指示を受けた時にヘッドセット２０が調べて判定してもよいし、ヘッドセット２０が常に単独で判定を行い、スマートフォン１からの要求に応じて、現在の判定結果および判定結果の履歴を送信してもよい。また、ヘッドセット２０が備えるセンサの検出する信号をスマートフォン１側に送り続けて、スマートフォン１が判定を行ってもよい。
【００７３】
ステップＳ７０２とステップＳ７０４は、ともに画面輝度を変更する処理だが、変更する大きさは一律の大きさで変化させても種々の判断条件に従って変化させてもよい。
【００７４】
例えば気圧センサ２５Ａ等の圧力を検出する手段によって検出できる水圧から水深を推測し、画面輝度を調節してもよいし、スマートフォン１が備えるボタン３やヘッドセット２０が備えるボタン２３Ａ、音量調整ボタン２３Ｂによる操作でヘッドセット２０からの信号の受信強度あるいはヘッドセット２０が受ける信号の受信強度を調べることで自機とヘッドセット２０との間の距離を調べ、画面輝度を調節してもよい。
【００７５】
またスマートフォン１とヘッドセット２０のうち、いずれかから受信した日時情報や位置情報等を用いて日光の射す方向を推測し、射す角度が海面に対し垂直に近いほど、水面での反射が大きく、画面の視認が困難であることが予想されるため、輝度を大きく上げてもよい。またはユーザの視点がある方向は、画面に対して垂直方向付近にある可能性が高いため、加速度センサ５Ｃやジャイロセンサ５Ｄからの信号に基づいて画面の向きを推測し、図９のように画面の垂直方向と水面での日光の反射方向が近いと予測されるとき、画面輝度を大きく上げてもよい。またスマートフォン１とヘッドセット２０のうち、いずれかが照度センサや太陽光発電パネルを備えるのであれば、その測定を行う機器が水上にあるときに照度センサからの信号や太陽光発電パネルの発電量を測定し、周囲の明るさを推測し、周囲が明るいほど水面での反射が大きく、画面が視認しづらいとして、より画面輝度を高く設定してもよい。
【００７６】
またスマートフォン１とヘッドセット２０のうち、いずれかが受信した晴れや曇りなどの天気情報により、周囲の明るさを推定し、周囲が明るいほど画面輝度を高く設定してもよい。
【００７７】
現在、あるいは最後に検出した位置情報の示す位置における数時間前にわたる風速情報を受信し、ユーザが居る地点の波の荒れ具合を推測し、荒れているほど水中が濁り、見通しが悪いことを推測し、画面輝度を高く設定してもよい。
【００７８】
上記の通り、スマートフォン１が水中にあり、更にヘッドセット２０が水上にあると、画面輝度を上げるが、これには消費電力が増加を抑えたいユーザもいることが予想される。そのため事前のユーザ設定によりこの機能を有効とするか決定してもよい。もしくは図１０のようにポップアップ１３としてメッセージとともにキャンセルボタン１４をディスプレイに表示し、画面輝度を上げるときにユーザによっては無効に設定してもよい。もしくはキャンセルボタンではなく、画面輝度を上げる旨のメッセージを表示するとともに決定ボタンを表示し、決定ボタンを押すことで有効にしてもよい。これらの入力にあたっては水中にあるため静電容量方式のタッチパネル等では入力が行えないことが予想される。その場合にはボタン３の入力によって操作してもよい。またはヘッドセット側からボタン２３Ａ、音量調整ボタン２３Ｂ、音声入力等の手段によって操作してもよい。
【００７９】
この表示は、図７におけるステップＳ７０２の処理の実行前に行ってもよいし、Ｓ７０４の処理の実行前の段階で行ってもよい。
【００８０】
画面輝度を明るくする処理はユーザが画面を見る可能性が高いことが予想される場合のみ、実行してもよい。例えば、スマートフォン１から通知情報を受けたときやインカメラ８Ａまたはアウトカメラ８Ｂを用いた撮影中や、保存されている動画や画像の閲覧中、再生する音楽の切り替え時、文字の入力中やその他特定のアプリケーションの使用中などの場合が挙げられる。
【００８１】
またディスプレイに有機ＥＬディスプレイ等の自発光型ディスプレイを使用している場合、通知情報に関わるような特に強調したい一部だけを明るく設定してもよい。
【００８２】
画面輝度を上げる処理は、水中に浸かったとき一定時間が経過してから明るくしてもよいし、頻繁に水上と水中を行き来するときには、画面輝度を明るい状態で固定してもよい。またスマートフォン１が水中から水上に出た際には、即座に水中で画面を明るくする機能をｏｆｆにして画面輝度を戻してもよいし、所定の時間が経過した後、あるいはタッチパネルが検出する水滴のほとんどがなくなったときに戻してもよいし、ユーザの操作に応じて画面を暗くしてもよい。
【００８３】
もし端末が複数のディスプレイを備えていれば、端末の全てのディスプレイの画面輝度を上げてもよいし、特定のいくつかのディスプレイのみ、画面輝度を上げてもよい。
【００８４】
次に図８を用いて、第２の実施形態に係るスマートフォン１およびヘッドセット２０により実行される処理の流れを説明する。
【００８５】
ステップＳ８０１からＳ８０２、Ｓ８０３を経てＳ８０４に至る流れはＳ７０１からＳ７０４までの内容と概ね同一であるため、省略する。
【００８６】
ステップＳ８０１において、スマートフォン１は自機が水中にないと判定すると、ステップＳ８０５に移行する。ステップＳ８０５では、ヘッドセット２０が水中にあるかを判
定する。判定の結果、ヘッドセット２０が水中にある場合、ステップＳ８０６に移行する。この場合、スマートフォン１が水上にあり、ヘッドセット２０が水中にある。つまりユーザが溺れている可能性があるため、ヘッドセット２０の心拍数センサ２５Ｃを使用し、ユーザの心拍数を測定する。
【００８７】
ステップＳ８０６において、ユーザの心拍数が事前に設定されている正常値内にないと判定すると、ユーザが危険な状態に陥ったとして、緊急モードへ移行する。緊急モードでは所定の処理を実行する。
【００８８】
所定の処理とは、例えば設定された緊急連絡先へのメールの送信や、画面への連絡先や意識を失ったユーザに対する応急処置の手順などのメッセージの表示、スピーカ７Ｃから最大音量でアラームを鳴らすなどが挙げられる。そのほか水難事故防止のための救命機能を搭載したウェアラブルデバイスがあり、通信が可能であればその救命機能を有効にするための信号をウェアラブルデバイスに対して送信してもよい。例えば、信号を受け付け、膨らむライフジャケットのようなものが考えられる。
【００８９】
測定対象は心拍数以外の生体情報であってもよい。例えば体温の変化や血中の酸素濃度の測定等が挙げられる。またヘッドセットが水中にあることを検知している時間であってもよい。
【００９０】
上記の判定だけでなく、更に異なる判定基準を追加で設けてもよい。例えば上記の条件と合わせて、スマートフォン１が激しく振られていることを検知した場合には、ユーザが溺れている状況をより正確に検知でき、誤動作を減少させることができる。
【００９１】
上記の実施形態で説明した処理は、スマートフォン１とヘッドセット２０によって行われているが、スマートフォン１以外にも、水中での使用が想定される他の電子機器についても同様に適用できる。例えばフィーチャーフォン、タブレット端末、ＰＤＡ、デジタルカメラ、音楽プレイヤー、ゲーム機、腕時計型デバイスなどが挙げられる。
【００９２】
ユーザの視点がある位置を検出する手段としてヘッドセット２０を用いたが、各実施の形態において必要な構成を満たしていれば、ヘッドセット型に限られない。具体的にはユーザの頭部近傍に装着するものであり、かつ水を検知する手段を有するウェアラブルデバイスであれば、図１１に示すようなメガネ型デバイス２９、図１２に示すような帽子型デバイス３０、図１３に示すようなマスク型デバイス３１、図１４に示すようなイヤホン型デバイス３２などのウェアラブルデバイスでも実施は可能であり、上記に例示した以外の形態であってもよい。さらに全体のうちの一部が頭部近傍に位置する機器であっても実施は可能である。
【００９３】
上記の形態のデバイスであれば、ヘッドセット２０の場合と構成は異なる。例えばメガネ型デバイス等では、ユーザの視線方向を撮影するカメラ３３が備えられてもよいし、帽子型等の頭部に密着するデバイス場合は、温度センサ３４を備えても良いし、頭頂部に照度センサ３５が設けられていてもよい。マスク型デバイスの場合、有害物質を検知するための有害物質センサ３６や温度センサ３７等を備えてもよい。ヘッドセット２０の場合は、タッチパネルや気圧センサによって水の検出を行ったが、上記のようなそれぞれが有する別のセンサによって水中に入ることを検出できるのであれば、水の検出手段として用いても良い。例えばカメラ３３を用いれば、画像解析により水の近くにいることや使用中にスマートフォンが水没したことがわかる。
【００９４】
スマートフォンと優先接続するイヤホン型デバイス３２等の場合はスマートフォンと有線接続しているため、スマートフォンを深く沈めたとしても使用できる。
【００９５】
またウェアラブルデバイスがＧＰＳ受信部を有し、位置情報を取得してもよい。この場合、スマートフォン１が水中でＧＰＳ情報を受信できない状況であっても、水上にある可能性が高いウェアラブルデバイスによって位置情報を取得できる。
【００９６】
更にウェアラブルデバイス自体がスマートフォン１との接続に用いる近距離通信だけでなく、単体で２Ｇ、３Ｇ、ＬＴＥ、４Ｇ、ＷｉＭＡＸ（登録商標）などの通信規格による通信を用いてもよいし、スマートフォン１との間では有線通信を用いてもよい。例えばスマートフォン１に備えられるｍｉｃｒｏＵＳＢ端子やイヤホンジャックを経由し、通信を行ってもよいし、通信経路のうち、一部を有線通信等に置き換え、複数の通信方法を併用した通信を行ってもよい。また音波や光を使った通信を行ってもよいし、人体通信を用いてもよい。
【００９７】
ここまで２つの機器による制御について述べたが、必ずしも２つでなくともよい。例えば頭部近傍に装着する機器が水上にあり、かつ腕時計型や指輪型の機器が水中にあるときには、手に持って操作するスマートフォン１は水面近傍にある可能性が高く、その後すぐに濡れる可能性が高いため、画面輝度を上げる制御を行っても良い。そのほかユーザの頭部近傍に装着するウェアラブルデバイスが複数あるとき、より多くの機器で判定を行うことで、高い精度でユーザの視点とスマートフォン１の位置を判定できる。例えばスマートフォン１とメガネ型デバイス２９とヘッドセット２０を用いるとき、スマートフォン１が水中にあることを検知し、ヘッドセット２０は水上にあるときには図７の処理に基づくと、Ｓ７０４に進み、画面輝度は大きく挙げられることとなるが、上記の状態に加えて、メガネ型デバイス２９が水中にある場合には、ユーザの顔の前面のみが水中にあることが考えられ、ユーザの視点とスマートフォン１はともに水中にあると考えられるため、Ｓ７０４を実行せずに終了する。このように頭部近傍へ装着するウェアラブル機器が複数ある場合には、判定に使用するウェアラブル機器の優先順位を設定しておいてもよい。
【００９８】
また気象情報やＧＰＳ情報等の受信は、スマートフォン１と頭部近傍に装着するウェアラブルデバイス以外の機器を更に用いてもよい。
【００９９】
本明細書では、添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【符号の説明】
【０１００】
１  スマートフォン
２Ａ  タッチパネル
２Ｂ  ディスプレイ
３  ボタン
４  電源
５Ａ  照度センサ
５Ｂ  近接センサ
５Ｃ  加速度センサ
５Ｄ  ジャイロセンサ
５Ｅ  方位センサ
５Ｆ  気圧センサ
６  通信ユニット
７Ａ  レシーバ
７Ｂ  マイク
７Ｃ  スピーカ
８Ａ  インカメラ
８Ｂ  アウトカメラ
９  ストレージ
９Ａ  制御プログラム
９Ｂ  アプリケーション
９Ｃ  設定情報
９Ｄ  センサ情報
９Ｅ  環境情報
１０  プロセッサ
１１  コネクタ
１２  イヤホンジャック
１３  ポップアップ
１４  キャンセルボタン
１５  水中
１６  水上
２０  ヘッドセット
２１  通信ユニット
２２Ａ  レシーバ
２２Ｂ  マイク
２３Ａ  ボタン
２３Ｂ  音量調整ボタン
２４  電源
２５Ａ  気圧センサ
２５Ｂ  照度センサ
２５Ｃ  心拍数センサ
２６  ストレージ
２６Ａ  制御プログラム
２６Ｂ  設定情報
２６Ｃ  センサ情報
２６Ｄ  環境情報
２７  プロセッサ
２８  コネクタ
２９  メガネ型デバイス
３０  帽子型デバイス
３１  マスク型デバイス
３２  イヤホン型デバイス
【図１】
2017135510.tif 000003
【図２】
2017135510.tif 000004
【図３】
2017135510.tif 000005
【図４】
2017135510.tif 000006
【図５】
2017135510.tif 000007
【図６】
2017135510.tif 000008
【図７】
2017135510.tif 000009
【図８】
2017135510.tif 000010
【図９】
2017135510.tif 000011
【図１０】
2017135510.tif 000012
【図１１】
2017135510.tif 000013
【図１２】
2017135510.tif 000014
【図１３】
2017135510.tif 000015
【図１４】
2017135510.tif 000016